(57)【要約】【解決手段】  中枢神経系統、自律神経系統、及び作動体データがマーケティング及びエンタテインメントの刺激の効率を決定するために計測され、解析される。脳波記録法（ＥＥＧ）、眼電図法（ＥＯＧ）、電気皮膚応答（ＧＳＲ）などの複数のモダリティを含むデータ収集機構がマーケティング及びエンタテインメントの刺激に曝された被験者から応答データを収集する。データ洗浄機能が応答データを濾過する。応答データはモダリティ内応答合成及び／或いはモダリティ間応答合成によって向上される。【選択図】図１
2010522941.tif 000002
【特許請求の範囲】
【請求項１】
マーケティングの刺激を与えるように動作可能な提示装置と、
脳波記録法（ＥＥＧ）と眼電図法（ＥＯＧ）とを含む複数のモダリティを使用して応答データを取得するように動作可能なデータ収集機構と、
前記応答データを濾過するように動作可能なデータ洗浄装置と、
前記複数のモダリティの各々に関する応答データを向上するように動作可能なモダリティ内応答合成装置と、
前記複数のモダリティの各々に関する応答データを結合して、前記複数のモダリティの各々の中の応答データを検証するように動作可能なモダリティ間応答合成装置と、
マーケティングの刺激の合成向上効率計測値を生成するように動作可能な合成向上効率評価装置と、
を備えるシステム。
【請求項２】
前記複数のモダリティが更に電気皮膚応答（ＧＳＲ）を含むものである、請求項１に記載のシステム。
【請求項３】
前記複数のモダリティが更に心電図（ＥＫＧ）を含むものである、請求項１に記載のシステム。
【請求項４】
前記複数のモダリティが更に瞳孔拡張を含むものである、請求項１に記載のシステム。
【請求項５】
前記複数のモダリティが更に眼追跡を含むものである、請求項１に記載のシステム。
【請求項６】
前記複数のモダリティが更に顔面感情記号化を含むものである、請求項１に記載のシステム。
【請求項７】
前記提示装置が、被験者に刺激を与えるための複数のパラメタを供給するように動作可能なプロトコル生成装置に関連づけられている、請求項１に記載のシステム。
【請求項８】
前記刺激が隔離された複数の被験者に与えられるものである、請求項１に記載のシステム。
【請求項９】
前記合成向上効率評価装置が前記プロトコル生成装置にフィードバックを供給して前記複数のパラメタを変更するものである、請求項８に記載のシステム。
【請求項１０】
前記モダリティ内応答合成装置が前記プロトコル生成装置にフィードバックを供給して前記複数のパラメタを変更するものである、請求項８に記載のシステム。
【請求項１１】
前記モダリティ間応答合成装置が前記プロトコル生成装置にフィードバックを供給して前記複数のパラメタを変更するものである、請求項８に記載のシステム。
【請求項１２】
前記複数のパラメタが提示の長さと繰り返し回数とを含むものである、請求項１に記載のシステム。
【請求項１３】
前記モダリティ内応答合成装置がデルタ、テータ、アルファ、ベータ、低いガンマ、及び高ガンマ（カッパ)帯を含む異なる周波数帯内の部分帯の中のデータを解析することによってＥＥＧに関係する応答データを向上するものである、請求項１に記載のシステム。
【請求項１４】
前記モダリティ間応答合成装置が応答データを結合し、一個のモダリティからの応答データを他の一個のモダリティからの応答データを使用することにより検証し向上するものである、請求項１に記載のシステム。
【請求項１５】
一個のモダリティからの応答データが、他の一個のモダリティからの応答データと結合する前に、時間移行されるものである、請求項１４に記載のシステム。
【請求項１６】
モダリティ内及びモダリティ間の決定の時間及び移送変化、関連、及び検証のような機構が、種々の刺激の効率を特徴付ける合成出力を生成させるものである、請求項１に記載のシステム。
【請求項１７】
脳活動が種々の脳地域に於ける活動を決定するために計測されるものである、請求項１に記載のシステム。
【請求項１８】
脳活動が種々の脳地域間の相互作用及び相互作用のタイプを決定するために計測されるものである、請求項１７に記載のシステム。
【請求項１９】
脳の中の複数地区間の交信に使用される異なる周波数帯及び部分帯が刺激の効率を決定するために計測されるものである、請求項１に記載のシステム。
【請求項２０】
キャリヤ波の上で変調される信号を含めての信号内での周波数間のカプリングが刺激の効率を決定するために計測されるものである、請求項１に記載のシステム。
【請求項２１】
特定の帯及び／又は部分帯パワー、区域間半球間コヒーレンスに於ける非対称性、及び区域間半球間周波数間カプリングを含む区域間時間−周波数計測が刺激の効率を決定するために解析されるものである、請求項１に記載のシステム。
【請求項２２】
唯一回の試験で生じた情報を抽出するために現行ＥＥＧの結合された時間−周波数応答が決定されるものである、請求項１に記載のシステム。
【請求項２３】
被験者の感情的応答を特定するために個々の特定された顔面感情記号化テンプレートが個々の応答と照合されるものである、請求項１に記載のシステム。
【請求項２４】
被験者にマーケティング及び／或いはエンタテインメントの刺激を与える工程と、
脳波記録法（ＥＥＧ）と眼電図法（ＥＯＧ）とを含む複数のモダリティを使用して応答データを取得する工程と、
前記応答データを濾過する工程と、
前記複数のモダリティの各々に関する応答データを向上する工程と、
前記複数のモダリティの各々に関する応答データを結合して、前記複数のモダリティの各々の中の応答データを検証する工程と、
マーケティング及び／或いはエンタテインメントの刺激の合成向上効率計測値を生成する工程と、
を備える方法。
【請求項２５】
前記複数のモダリティが更に電気皮膚応答（ＧＳＲ）を含むものである、請求項２４に記載の方法。
【請求項２６】
前記複数のモダリティが更に心電図（ＥＫＧ）を含むものである、請求項２４に記載の方法。
【請求項２７】
前記複数のモダリティが更に瞳孔拡張を含むものである、請求項２４に記載の方法。
【請求項２８】
前記複数のモダリティが更に眼追跡を含むものである、請求項２４に記載の方法。
【請求項２９】
特定された帯及び／或いは部分帯パワー、区域間半球間コヒーレンスに於ける非対称性、及び区域間半球間周波数間カプリングを含む区域間時間−周波数計測が刺激の効率を決定するために解析されるものである、請求項２４に記載の方法。
【請求項３０】
唯一回の試験で生じた情報を抽出するために現行ＥＥＧの結合された時間−周波数応答が決定されるものである、請求項２４に記載の方法。
【請求項３１】
被験者の感情的応答を特定するために個々の特定された顔面感情記号化テンプレートが個々の応答と照合されるものである、請求項２４に記載の方法。
【請求項３２】
被験者にマーケティング及び／或いはエンタテインメントの刺激を与える手段と、
脳波記録法（ＥＥＧ）と眼電図法（ＥＯＧ）とを含む複数のモダリティを使用して応答データを取得する手段と、
前記応答データを濾過する手段と、
前記複数のモダリティの各々に関する応答データを向上する手段と、
前記複数のモダリティの各々に関する応答データを結合して、複数のモダリティの各々の中の応答データを検証する手段と、
エンタテインメントの刺激の合成向上効率計測値を生成する手段と、
を備える装置。
【発明の詳細な説明】
【技術分野】
【０００１】
本出願は、「Ａｄｖｅｒｔｉｓｉｎｇ，  Ｍａｒｋｅｔｉｎｇ，  Ａｎｄ  Ｂｒａｎｄ  Ｅｆｆｅｃｔｉｖｅｎｅｓｓ  Ａｎａｌｙｚｅｒ  Ｕｔｉｌｉｚｉｎｇ  Ｃｅｎｔｒａｌ  Ｎｅｒｖｏｕｓ  Ｓｙｓｔｅｍ，  Ａｕｔｏｎｏｍｏｕｓ  Ｎｅｒｖｏｕｓ  Ｓｙｓｔｅｍ，  Ａｎｄ  Ｅｆｆｅｃｔｏｒ  Ｓｙｓｔｅｍ  Ｍｅａｓｕｒｅｍｅｎｔｓ」の題名でＡｎａｎｔｈａ  Ｐｒａｄｅｅｐ，  Ｒｏｂｅｒｔ  Ｔ．  Ｋｎｉｇｈｔ，  ａｎｄ  Ｒａｍａｃｈａｎｄｒａ  Ｇｕｒｕｍｏｏｒｔｈｙによって２００７年３月２９日に提出された米国暫定特許出願６０/９０８７４２号を基に優先権を主張するものである。
【０００２】
本発明は中枢神経系統、自律神経系統、及び作動体計測機構を使用するマーケティング及びエンタテインメントの効率解析に関する。
【背景技術】
【０００３】
エンタテインメントやマーケティングの効率を測定する従来のシステムは、世論調査による評価或いは独立して使用される限られた範囲での神経生理学的測定によるものであった。これら従来のシステムは有用なデータを供給するものの、各種の意味論的、文法的、隠喩的、文化的、社会学的、解釈法的の誤謬とか偏見によって非常に非能率的であり不正確なものであった。神経生理学的計測に使用されるシステムや技術も極めて限定的なものであった。
【発明の概要】
【発明が解決しようとする課題】
【０００４】
従って、エンタテインメントやマーケティングの材料の効率の評価に当たって取得される中枢神経系統、自律神経系統、及び作動体データなどの神経学的及び神経生理学的データの測定及び解析用の改善された方法及び装置が望まれて居る。
【図面の簡単な説明】
【０００５】
特種な実施例を示す以下の図を参照することによって、発明の開示は容易に理解されることであろう。
【０００６】
【図１】図１は中枢神経系統、自律神経系統、及び作動体測定を使用してマーケティングやエンタテインメントの効率を決定するシステムの一例を示す図である。
【０００７】
【図２】図２はインテリジェントプロトコル生成器及び提示器を有するシステムの特種例と、モダリティ内応答合成の機構を示す図である。
【０００８】
【図３】図３は脳波記録法（ＥＥＧ）用のモダリティ内応答合成の機構の特種例を示す図である。
【０００９】
【図４】図４は脳波記録法（ＥＥＧ）用の合成の別の例を示す図である。
【００１０】
【図５】図５はモダリティ間生成機構の特種例を示す図である。
【００１１】
【図６】図６は神経学及び神経生理学データを取得するテクニクを示すサンプル流動処理図の一例である。
【００１２】
【図７】図７は一個以上の機構の実施に使用され得るシステムの一例を示す図である。
【発明を実施するための形態】
【００１３】
本発明を実施するに当たり、発明者が最良とみなす形体を含めた実施例を、爾後詳細に参照することにする。これらの特種実施例は添付された図に示されてある。本発明はこれらの実施例によって記述されるものではあるが、本発明はこれらの実施例によって限定されるものではなく、後述の請求項で定義されるように、本発明の精神に則った代案、変化案、均等案などを含むものとする。
【００１４】
例えば、本発明のテクニク及び機構などはエンタテインメントとかマーケティングの効率評価として記述されるが、本発明のテクニクや機構などは、ビデオ、オーディオ、メディア広告、製品設置、ブランド効率、広告印刷など各種のエンタテインメントやマーケティングに応用されることが銘記されるべきものである。各種の機構やテクニクは各種の刺激に応用されるものであることに留意されるべきものである。爾後の記述に於いては、本発明が十分に理解されるべく、詳細な実施例が開示される。これら特種な詳細例には、特種の実施に使用されないものも含まれる。別の例として、本発明の実際の内容を不明確にしない目的から、周知の工程作動などの記述は割愛することとする。
【００１５】
又、本発明に於ける各種のテクニクや機構は明確化のために単数形で記述されることがあるが、特に断って居ない実施例の場合にはテクニクが複数回繰り返されたり、機構が複数回の具体化をされることがあると留意されるべきものである。一例として、システムとは処理装置を多くの状況下で使用するものであるが、特に断りのない限り、本発明によるシステムは複数個の処理装置を有するものであってもよいと理解すべきものである。更に、本発明のテクニクや機構は二個の物体の接続を記述する場合があるが、二個の物体の接続とは必ずしもこれら二個の物体が途中邪魔されることなしに直接接続されると言う意味ではない。一例として、処理装置はメモリに接続されると言っても、その処理装置とメモリの間に各種のブリッジとか制御装置が介在することもあり得るのである。即ち、接続と言うのは、特筆されない限り、途中に介在するもののない直接の接続を意味するものではない。
【００１６】
・概要
【００１７】
中枢神経系統、自律神経系統、及び作動体データは計測され、解析されて、マーケティング及びエンタテインメントの刺激の効率が決定される。脳波記録法（ＥＥＧ）、眼電図法（ＥＯＧ）、電気皮膚応答（ＧＳＲ）などの複数のモダリティを含むデータ収集機構は、マーケティング及びエンタテインメントの刺激に曝された被験者からの応答を収集し、データ洗浄機構は応答データを濾過する。モダリティ内（ｉｎｔｒａ−ｍｏｄａｌｉｔｙ）応答合成及び／又はモダリティ間（ｃｒｏｓｓ−ｍｏｄａｌｉｔｙ）応答合成を使用して、応答データは強化向上される。
【００１８】
・実施例
【００１９】
マーケティング及びエンタテインメントの材料のような各種の刺激の効率に関する情報を取得するための従来の機構は、一般に焦点グループとか調査とかによるものであった。被験者は広告、ブランド、メディアの一片などに応ずる自分の考えとか感じを伝えるための口頭及び書式の伝達機構を与えられる。これら口頭及び書式機構は或る程度までマーケティング及びエンタテインメントの材料の効率に関する条項を提供するものであるが、これには各種の限定が存在する。例えば、被験者らは主題に関して本当の考えなり感じを表現することが出来なかったり、する意思がない場合があり、また質問が偏見を含んだ書式になって居る場合もある。理路整然と意見の言える被験者が、表現の乏しい被験者よりよけい重点を得ることもある。各種の意味論的、文法的、隠喩的、文化的、社会学的、解釈法的の偏見とか誤謬が、正確な繰り返し可能な評価の障碍となって居る。
【００２０】
被験者の応答を、個別の神経学的及び神経生理学的計測を使用することによって規格化する試みも行われた。機能的核磁気共鳴映像法（ｆＭＲＩ）及び脳波記録法（ＥＥＧ）は中枢神経系統計測機構の例である。ｆＭＲＩは脳に於ける神経活動の増加と関連する血液酸素供給を計測するものであるが、現在ｆＭＲＩの時間的分解能は数秒と言う貧弱さである。ＥＥＧはミリ秒の範囲のシナプス後の電流に関する電気的活性を計測するものであり、頭蓋下ＥＥＧは、骨や皮膚層が広範囲の振動数の通過を弱めるので、最も正確に電気的活性を測定することが出来る。しかしながら、表面ＥＥＧは適当に解析するならば豊富な電気生理学的情報を提供するものである。
【００２１】
自律神経系統計測機構には、電気皮膚応答（ＧＳＲ）、心電図（ＥＫＧ）、瞳孔拡張などが含まれる。作動体計測機構には、眼電図法（ＥＯＧ）、眼追跡（ｅｙｅ  ｔｒａｃｋｉｎｇ）、顔面感情記号化、反応時間などが含まれる。
【００２２】
従来例の機構の中には、或る神経学的或は神経生理学的計測特徴が或る特種な考え、感じ、心的状態或は可能性を示すものとする例がある。例えば、或る顔面筋肉が引っ張られるのは或る特種な感情を表すものであるとする。その他の例として，脳の或る部分の一般的活性を測定し、その活性が或る部分で起こる場合には嘘をついて居り、別の部分で起こる場合には真実を意味するとするものもある。しかし、このような機構が果たして被験者の本当の考えを反映する能力があるのか、その程度は極めて限られたものである。脳の或る特定部位を、或る特定の考えにマッピング出来ないとは承知されたことである。同様に、目の或る特定の動きが特定の感情にマッピングされ得るものでもない。或る特定の測定された特徴と、考え、感じ、心的状態などとの間に強い相関性があるとしても、その相関性は完全なものではなく、虚偽な結果に終わってしまうものである。
【００２３】
従って、本発明のテクニク及び機構とは、認知前（ｐｒｅｃｏｇｎｉｔｉｖｅ）神経的特徴の複数のモード及び出現を、認知的（ｃｏｇｎｉｔｉｖｅ）神経的特徴及び認知後（ｐｏｓｔ  ｃｏｇｎｉｔｉｖｅ）神経的特徴に賢明に混合し、より正確にマーケティングやエンタテインメントの材料の効率にアクセスすることである。或る実施例に於いては、自律神経系統の特徴が中枢神経系統の特徴を正当化する為に使用される。作動体及び動作応答はその他の特徴と混合及び結合して使用される。
【００２４】
モダリティ間（ｃｒｏｓｓ−ｍｏｄａｌｉｔｙ）測定機構向上に加えて、モダリティ内（ｉｎｔｒａ−ｍｏｄａｌｉｔｙ）測定向上が行われる。種々の実施例に於いて、脳活動は活動の部位を決定するためのみならず、種々の部位間の反応及び反応の種類を決定するために測定される。本発明のテクニク及び機構に於いては、神経的部位間の反応が入念に準備されて組織化された動作を支持するものであると認識されて居る。考えとか能力は単に脳の一部分によるものでなく、脳部位間のネットワーク反応によるものである。
【００２５】
本発明のテクニク及び機構に於いては更に、複数の部位の間の交信に使用される異なる周波数帯が刺激の効率を示すもとであると認識されて居る。例えば、或る名前を或る特別な顔と結びつけることは、必然的に或る周波数帯の交信経路に同調することを伴うものかも知れない。種々の実施例に於いて、選択された周波数帯が濾過の後に解析される。本発明のテクニク及び機構は更に、高ガンマ帯周波数が有意義であると認知して居る。信号に於ける周波数間カプリングは更に効率を指示するものとされて居る。キャリヤ波の上で変調された信号も、考えや行動を評価するのに重要であると決定されて居る。或る実施例に於いては、計測する周波数のタイプを被験者及び／又はタスクにより決定する。例えば、被験者が新製品に会わせられる場合、特定通路での特定タイプの周波数が計測される。
【００２６】
特種な実施例に於いて、評価に当って各被験者は目盛調整（較正）が行われ、被験者全体が同時化される。また、特種な実施例に於いて、刺激前後の差分の計測のためのベースラインを生成するために被験者用のテンプレイトが作成される。種々の実施例に於いて、刺激生成装置は情報処理機能を有するもの（インテリジェントなもの）であり、露出時間とか、各被験者が解析される時間長などの特定のパラメタを適応的に変化させるものである。
【００２７】
従って、本発明のテクニク及び機構は、マーケティングとかエンタテインメント材料のような材料の効率を評価する為に使用される中枢神経系統、自律神経系統、及び作動体の計測及び解析用システムを提供するものである。マーケティング材料には、広告、広告放送、メディアクリップ、ブランドメッセージ、製品用パンフレット、会社の意匠文字などが含まれる。インテリジェントな刺激生成機構は特定な被験者及び目的に対してインテリジェントに出力を対応させる。ＥＥＧ、ＧＳＲ、ＥＫＧ、瞳孔拡張、ＥＯＧ、眼追跡（ｅｙｅ  ｔｒａｃｋｉｎｇ）、顔面感情記号化、反応時間など、種々なモダリティが使用され得る。ＥＥＧのような個々の形態は、神経部位交信通路を情報処理機能をもって認識することによって向上される。モダリティ間（ｃｒｏｓｓ−ｍｏｄａｌｉｔｙ）解析は、中枢神経系統、自律神経系統、及び作動体の特徴の合成と解析的混合によって向上することが出来る。時間及び位相変化、相互関係及びモダリティ内（ｉｎｔｒａ−ｍｏｄａｌ）決定のような機構による合成及び解析によって、各種の刺激の効率を特徴付ける合成出力を生成することが出来る。
【００２８】
図１は中枢神経系統、自律神経系統、及び作動体測定を使用してマーケティング及びエンタテインメントの効率を決定するシステムの一例を示すものである。種々の神経解析システムの実施例に於いて、プロトコル生成及び提示装置１０１が含まれて居る。特種な実施例に於いて、プロトコル生成及び提示装置１０１は単なる提示装置であって、使用者に刺激を与えるだけのものである。刺激とはメディアクリップ、広告放送、ブランド画像、雑誌広告、映画、オーディオ上演、特種な味、匂い、組織及び／或は音などである。刺激は種々の感覚に関するものであってよく、人的監督の如何に関係しない。連続的なもの、不連続的なもの、両方が含まれる。種々な実施例に於いて、プロトコル生成及び提示装置１０１は、被験者に与えられる刺激をインテリジェントにカスタマイズ出来るようなプロトコル生成の機能も有する。
【００２９】
種々の実施例に於いて、被験者はデータ収集装置１０５に接続される。このデータ収集装置１０５は、ＥＥＧ、ＥＯＧ、ＧＳＲ、ＥＫＧ、瞳孔拡張、眼追跡（ｅｙｅ  ｔｒａｃｋｉｎｇ）、顔面感情記号化、反応時間装置など各種の神経学的及び神経生理学的測定機構を含んでも良い。特種な実施例に於いて、データ収集装置１０５は、ＥＥＧ１１１、ＥＯＧ１１３、ＧＳＲ１１５を有して居る。場合によっては、只一個のデータ収集装置が使用される。データの収集には人的監督があっても、なくても良い。
【００３０】
データ収集装置１０５は複数個の源から神経生理学的データを収集する。これには中枢神経系統源（ＥＥＧ）、自律神経系統源（ＧＳＲ，ＥＫＧ、瞳孔拡張）、及び作動体源（ＥＯＧ、眼追跡（ｅｙｅ  ｔｒａｃｋｉｎｇ）、顔面感情記号化、反応時間）が含まれる。特定の実施例に於いて、収集されたデータはデジタルにサンプリングされ、後段の解析に保存される。特定の実施例に於いて、収集されたデータはリアルタイムに解析されることも出来る。特種な実施例に於いて、ディジタルサンプリングの速度は測定されて居る神経学的及び神経生理学的データに基づいて適応的に選択される。
【００３１】
特種な一実施例に於いて、神経学的及び神経生理学的解析システムは頭皮レベル電極を使用して行うＥＥＧ１１１計測、目のデータを追跡する遮蔽電極を使用して行うＥＯＧ１１３計測、差分計測システムを使用して行うＧＳＲ１１５計測、顔の上の特定の箇所に設置された遮蔽電極による顔面筋肉計測、及び個人別に適応的に得られた顔面作用画面及びビデオ解析装置を含むものである。
【００３２】
特種な実施例に於いて、データ収集装置はプロトコル生成及び提示装置１０１とクロック同期化されている。データ収集装置１０５は只一人の個人（１個のシステム）からデータを収集するのでもよいし、同期化されたデータを複数の個人（Ｎ＋１のシステム）から収集するように変更されてもよい。Ｎ＋１のシステムは同時に隔離されてテストされる複数の個人を含んでもよく、グループでテストされるのでもよい。特種な実施例に於いて、データ収集装置は自動的トリガ、警報、及び状態監視のための条件評価サブシステム、データが収集される間被験者の状態を連続的に監視する可視化成分、及びデータ収集用具をも含む。この条件評価サブシステムは、可視的警報を提供し、自動的に矯正活動を行うものであってもよい。
【００３３】
種々の実施例に於いて、神経学的及び神経生理学的解析システムはデータ洗浄装置１２１をも含むものである。特種な実施例に於いて、このデータ洗浄装置１２１とは収集されたデータを濾過して、固定或は適応的濾過、加重平均法、高等成分抽出（例えばＰＣＡ，ＩＣＡ）、ベクトル及び成分分離法などにより、ノイズ、アーチファクト、及びその他の無用なデータを除去するものである。この装置は外因性のノイズ（原因が被験者の生理以外の場合）も内因性のアーチファクト（原因が筋肉運動、目の瞬きなどのような神経整理学的なものであ場合）も除去することによってデータを洗浄するものである。
【００３４】
アーチファクト除去サブシステムは、応答データを選択的に分離して検査し、線周波数、目の瞬き、及び筋肉運動のようなアーチファクトに対応する時間領域属性及び／又は周波数領域属性の事象（ｅｐｏｃｈ）を特定する機構を含むものである。そうして、アーチファクト除去サブシステムは、これらの事象を除き、或はこれらの事象のデータをその他のクリーンなデータ（例えばＥＥＧの最隣接による加重平均方法）による予想値で置き換えて、アーチファクトを洗浄するものである。
【００３５】
種々の実施例に於いて、データ洗浄装置１２１はハードウエア、ファームウエア、及び／又はソフトウエアを使用して実現し得る。データ洗浄装置１２１はデータ収集装置１０５の後で解析装置１３１、１４１の前の位置に示されて居るが、その他の装置と同様に、データ洗浄装置１２１はシステムの実施に基づいた位置及び機能を持つことが出来ると理解すべきものである。例えば、システムによっては自動的データ洗浄装置を全然使用しなくてもよい。その他のシステムに於いては、データ洗浄装置が個別のデータ収集装置に組み込まれて居てもよい。
【００３６】
データ洗浄装置１２１はモダリティ内（ｉｎｔｒａ−ｍｏｄａｌｉｔｙ）応答合成装置１３１にデータを通す。モダリティ内応答合成装置１３１は各モダリティの個人毎に独立の神経学的及び神経生理学的パラメタをカスタマイズして抽出し、モダリティ内の推定値を解析的に混合して提示された刺激への向上された応答を引き出すように構成されて居る。特種の実施例に於いて、モダリティ内応答合成装置はデータセット内の異なる被験者からのデータを集約する。
【００３７】
種々の実施例に於いて、モダリティ間（ｃｒｏｓｓ−ｍｏｄａｌｉｔｙ）応答合成或は融合装置１４１は、未加工のデータや合成装置１３１から出力されたデータを含む各種のモダリティ内応答を混合するものである。信号を結合すると、モダリティ内の効率の測定値が向上される。モダリティ間応答融合装置１４１は更にデータセット内の異なる被験者からのデータを集成する。
【００３８】
種々の実施例に於いて、システムは、各モダリティからの向上された応答や推定値を結合し各種の目的の為のマーケティングやエンタテインメントの刺激の効率の混合された推定値（評価値）を提示する合成向上効率評価装置（ＣＥＥＥ＝ｃｏｍｐｏｓｉｔｅ  ｅｎｈａｎｃｅｄ  ｅｆｆｅｃｔｉｖｅｎｅｓｓ  ｅｓｔｉｍａｔｏｒ）を更に含むものである。刺激効率推定値は１６１に出力される。
【００３９】
図２は、情報処理機能を有する（インテリジェントな）プロトコル生成提示装置（情報として以前の応答に基づくフィードバックを含んでも良い）を有するシステムの特種例を示すものである。
【００４０】
種々の実施例に於いて、システムはプロトコル生成提示装置２０１を含むものである。特種の実施例に於いて、このプロトコル生成提示装置２０１は単なる提示装置であって、既成の刺激を使用者に与えるのみである。この刺激とは、メディアクリップ、広告放送、ブランド画像、雑誌広告、映画、オーディオ上演、特種な味、組織、匂い、及び／或は音などである。刺激は種々の感覚に関するものであってよく、人的監督の如何に関係しない。連続的なもの、不連続的なもの、両方が含まれる。種々な実施例に於いて、プロトコル生成提示装置２０１は、被験者に与えられる刺激のタイプをインテリジェントに変更出来るようなプロトコル生成の機能も有する。特種な実施例に於いて、プロトコル生成提示装置２０１は部品２６１から刺激の効率に関する測定値の情報を受信する。
【００４１】
プロトコル生成提示装置２０１は動的に刺激の提示を適応するに当たり、下記に関する情報を使用するものである：注意力解析、感情的従事（ｅｍｏｔｉｏｎａｌ  ｅｎｇａｇｅｍｅｎｔ）の解析、記憶保持の解析、一般的視聴その他の感覚的効率と広告（アド）、ショウ、及び内容（コンテント）の効率の解析、ブランドの刺激の含蓄的（ｉｍｐｌｉｃｉｔ）解析、ブランドの意味の含蓄的解析、ブランドの原理の含蓄的解析、ブランドの心像の含蓄的解析、ブランド用語の含蓄的解析、ブランドの刺激の明示的（ｅｘｐｌｉｃｉｔ）解析、ブランドの意味の明示的解析、ブランドの原理の明示的解析、ブランドの心像の明示的解析、ブランド用語の明示的解析、広告内の文字の解析、広告／ショウ／コンテント内の文字への感情的応答の解析、広告／ショウ／コンテント内の文字の反応の解析、広告／ショウ／コンテントの印刷目的での中核成分の抽出、広告／ショウ／コンテントの広告板目的での中核成分の抽出、視線残留時間による広告／ショウ／コンテント内のホットゾーン（ｈｏｔ  ｚｏｎｅ）のような視覚メトリクス（ｏｃｕｌａｒ  ｍｅｔｒｉｃｓ）、ミクロ的及びマクロ的眼球衝動分離、問題点への断続性の帰還、製品置き場の抽出、意匠文字点とブランド設置点の抽出、ゲイム効率の解析、ゲイムに於ける製品設置の解析、ウエブサイト（ｗｅｂｓｉｔｅ）効率、サイトに於けるウエブペイジドロップオフ（ｗｅｂｐａｇｅ  ｄｒｏｐｏｆｆ）。種々の実施例に於いて、これらの情報は部品２６１によって提供されるものである。特種な実施例に於いては、これらの情報の一部はプロトコル生成提示装置２０１自身が取得するものである。
【００４２】
プロトコル生成提示装置２０１は、数価（ｖａｌｅｎｃｅ）、興奮、意味に合わせた単語／文節生成装置、数価及び興奮に合わせた画像／ビデオ選択装置のような言語及び画像用具と共にデータモデルを使用して実験に関するパラメタを生成する。特種な実施例に於いて、プロトコル生成提示装置２０１は、実験の時刻と継続時間、信号とノイズに関する要求に基づいた刺激の繰り返し回数、馴化及び消耗に関する研究用の刺激の繰り返し回数、神経生理学的ベースラインのタイプと数、及び含まれるべき自己報告世論調査のような個々の提示パラメタを変化させてもよい。
【００４３】
特種な実施例に於いて、プロトコル生成提示装置２０１はその提示を被験者のグループ或は被験者個人に合わせるものである。種々の実施例に於いて、被験者はデータ収集装置２０５に接続される。このデータ収集装置２０５は、ＥＥＧ、ＥＯＧ、ＧＳＲ、ＥＫＧ、瞳孔拡張、眼追跡（ｅｙｅ  ｔｒａｃｋｉｎｇ）、顔面感情記号化、反応時間などのような、神経学的及び神経生理学的機構を伴って居てもよい。特種な実施例に於いて、データ収集装置２０５はＥＥＧ  ２１１、ＥＯＧ  ２１３、及びＧＳＲ  ２１５を含む。場合によっては、ただ一つのモダリティが使用される。別の場合には複数のモダリティが使用され、効率評価のタイプによって変化されてもよい。データの収集は人為を介しても、介さなくてもよい。
【００４４】
データ収集装置２０５は複数の源泉から自動的に神経生理学的データを収集する。これには、中枢神経系統源泉（ＥＥＧ）、自律神経系統源泉（ＧＳＲ、ＥＫＧ、瞳孔拡張）、及び作動体源泉（ＥＯＧ、眼追跡（ｅｙｅ  ｔｒａｃｋｉｎｇ）、顔面感情記号化、反応時間）などの装置の結合が含まれる。特定の実施例に於いて、収集されたデータはデジタルにサンプリングされ、後段の解析に保存される。収集されたデータはリアルタイムに解析されることも出来る。特種な実施例に於いて、ディジタルサンプリングの速度は測定されて居る神経学的及び神経生理学的データに基づいて適応的に選択される。
【００４５】
特種な一実施例に於いて、システムは頭皮レベル電極を使用して行うＥＥＧ２１１計測、目のデータを追跡する遮蔽電極を使用して行うＥＯＧ２１３計測、差分計測システムを使用して行うＧＳＲ２１５計測、及び個人別に適応的に得られた顔面作用画面及びビデオ解析装置を含むものである。
【００４６】
種々の実施例に於いて、データ収集装置はプロトコル生成及び提示装置２０１とクロック同期化されている。データ収集装置２０５は只一人の個人（１個のシステム）からデータを収集するのでもよいし、同期化されたデータを複数の個人（Ｎ＋１のシステム）から収集するように変更されてもよい。Ｎ＋１のシステムは同時に隔離されてテストされる複数の個人を含んでもよく、グループでテストされるのでもよい。特種な実施例に於いて、データ収集装置は自動的トリガ、警報、及び状態監視のための条件評価サブシステム、データが収集される間被験者の状態を連続的に監視する可視化成分、及びデータ収集用具をも含む。この条件評価サブシステムは、可視的警報を提供し、自動的に矯正活動を行うものであってもよい。
【００４７】
種々の実施例に於いて、システムはデータ洗浄装置２２１をも含むものである。特種な実施例に於いて、このデータ洗浄装置２２１とは収集されたデータを濾過して、固定或は適応的濾過、加重平均法、高等成分抽出（例えばＰＣＡ，ＩＣＡ）、ベクトル及び成分分離法などにより、ノイズ、アーチファクト、及びその他の無用なデータを除去するものである。この装置は外因性のノイズ（原因が被験者の生理以外の場合）も内因性のアーチファクト（原因が筋肉運動、目の瞬きなどのような神経生理学的なものである場合）も除去することによってデータを洗浄するものである。
【００４８】
アーチファクト除去サブシステムは、各データの出力を選択的に分離して検査し、線周波数、目の瞬き、及び筋肉運動のようなアーチファクトに対応する時間領域属性及び／又は周波数領域属性の事象（ｅｐｏｃｈ）を特定する機構を含むものである。そうして、アーチファクト除去サブシステムは、これらの事象を除き、或はこれらの事象のデータをその他のクリーンなデータ（例えばＥＥＧの最隣接による加重平均方法）による予想値で置き換えて、アーチファクトを洗浄したり、或はこれらの成分を信号から排除したりするものである。
【００４９】
種々の実施例に於いて、データ洗浄装置２２１はハードウエア、ファームウエア、及び／或はソフトウエアを使用して実現し得る。データ洗浄装置２２１はデータ収集装置２０５の後で解析装置２３１、２４１の前の位置に示されて居るが、その他の装置と同様に、データ洗浄装置２２１はシステムの実施に基づいた位置及び機能を持つことが出来ると理解すべきものである。例えば、システムによっては自動的データ洗浄装置を全然使用しなくてもよい。その他のシステムに於いては、データ洗浄装置が個別のデータ収集装置に組み込まれて居てもよい。
【００５０】
データ洗浄装置２２１はモダリティ内応答合成装置２３１にデータを通す。モダリティ内応答合成装置は各モダリティの個人毎に独立の神経学的及び神経生理学的パラメタをカスタマイズして抽出し、モダリティ内の推定値を解析的に混合して提示された刺激への向上された応答を引き出すように構成されて居る。特種の実施例に於いて、モダリティ内応答合成装置はデータセット内の異なる被験者からのデータを集約する。種々の実施例に於いて、種々のモジュールは合成を並列或は直列に実施し、データ洗浄装置２２１から直接出力されたデータ或はその他のモジュールから出力されたデータに作用する。例えば、ＥＥＧ合成モジュール２３３はＥＯＧ合成モジュール２３５の出力に作用することが出来、ＧＳＲモジュール２３７はＥＥＧモジュール２３３からの出力に作用出来る。
【００５１】
種々の実施例に於いて、モダリティ間応答合成或は融合装置２４１は、未加工のデータや合成装置２３１から出力されたデータを含む各種のモダリティ内応答を混合するものである。信号を結合すると、モダリティ内の効率の測定値が向上される。モダリティ間応答融合装置２４１は更にデータセット内の異なる被験者からのデータを集成する。
【００５２】
種々の実施例に於いて、システムは、各モダリティからの向上された応答や推定値を結合し各種の目的の為のマーケティングやエンタテインメントの刺激の効率の混合された推定値を提示する合成向上効率評価装置（ＣＥＥＥ）を更に含むものである。刺激効率推定値は２６１に出力される。効率特徴（モダリティ内合成装置。モダリティ間融合装置、及び／或はＣＥＥＥ）の一部或は全部は使用者２０３に供給される刺激を更にカスタマイズため、フィードバックとしてプロトコル生成提示装置２０１に供給することが出来る。
【００５３】
図３はモダリティ内合成機構の特種例を示すものである。特種例に於いて、ＥＥＧ応答データはマーケティングやエンタテインメント効率の向上された評価を供給するように合成される。種々の実施例に於いて、ＥＥＧは脳の異なる部位に関する何千もの同時の神経作用の結果である電気的活動を計測する。ＥＥＧデータは種々の帯に分級（区分）することが出来るものであり、種々の実施例に於いて、脳波周期はデルタ、テータ、アルファ、ベータ、及びガンマ周波数帯を含むものである。デルタ波は４Ｈｚ以下のものであり、熟睡中に顕著なものである。テータ波は周波数が３．５から７．５Ｈｚの間のものであり、記憶力、注意力、感情、及び感覚に関係する。テータ波は典型的に内的集中の時に顕著となる。
【００５４】
アルファ周波数は７．５と１３Ｈｚの間であり、典型的に１０Ｈｚで頂上に達する。アルファ波は寛ぎの状態で顕著である。ベータ波の周波数範囲は１４から３０Ｈｚであり、ベータ波は運動制御、脳部位間の広範囲の同期、解析問題の解決、判断、決断などの期間に顕著である。ガンマ波は３０から６０Ｈｚの間に起こり、認知的或は運動機能及び注意力、記憶力の実行の為に異なるニューロン群をネットワークに結合することに関与するものである。頭蓋及び皮膚層はこの周波数範囲の波を減衰するため、７５−８０Ｈｚの範囲の脳波は検出が難しいため、刺激応答の評価には使用されないことが多い。
【００５５】
しかし、本発明のテクニクや機構に於いては、テータ、アルファ、ベータ、及び低ガンマ帯の計測に加えて高ガンマ帯（カッパ帯：６０Ｈｚ以上）の計測が神経学的注意力、感情的実施、保持成分推定を向上することが認識されて居る。特種の実施例に於いて、取得するのが難しい高ガンマ或はカッパ帯測定をも含めたＥＥＧ測定が３０１に於いて取得され、向上され、評価される。テータ、アルファ、ベータ、ガンマ、及びカッパ帯での被験者及びタスクに合わせた部分帯が３０３で向上された応答推定のために特定される。種々の実施例に於いて、８０Ｈｚ以上の高ガンマ波（カッパ帯）（典型的に頭蓋下ＥＥＧ及び脳磁図によって検出可能）が刺激の周波応答のモデルによる逆向上（ｉｎｖｅｒｓｅ  ｍｏｄｅｌ−ｂａｓｅｄ  ｅｎｈａｎｃｅｍｅｎｔ）に使用される。
【００５６】
本発明の種々の実施例に於いて、或る活動の際、各周波数範囲の特定の部分帯（サブバンド）が特に顕著になることが認知されて居る。特定の帯内の周波数の部分集合のことを此処では部分帯と呼称する。例えば、部分帯とはガンマ帯の中の４０−４５Ｈｚの範囲を含むものでもよい。特種の実施例に於いては、複数の部分帯が異なる帯から選択され、残りの周波は帯域通過濾過にかけられる。特種の実施例に於いては、複数の部分帯応答が向上され、残りの周波数応答が減衰される。
【００５７】
３０５に於いては、部分帯計測の区域間干渉性が決定される。種々の実施例に於いて、区域間干渉性はゲインと位相干渉性、ベイジアン統計法、独立性と方向性の相互情報理論的計測値、異なる帯に於けるＥＥＧ応答のＧｒａｎｇｅｒ因果関係手法などを使用して決定される。特種な実施例では個別の被験者の応答の特定タイプを引き出すのに、ファジイロジックを使用して刺激の効率を推定する為、区域間干渉性が決定される。
【００５８】
３０７に於いては、半球間時間−周波数計測が評価される。特種の実施例に於いて、感情的従事の計測値を与える為に、特定の帯パワーの非対称性、区域間半球間干渉性の非対称性、区域間半球間周波数間カプリングなどが解析される。
【００５９】
３０９に於いては、応答の周波数間カプリング評価が決定される。特種の実施例に於いて、特定な帯活動の他の帯活動の位相と同時の計測価に対応するカプリング指数が決定され、マーケティングや広告の刺激或はその部分区域の意義を確認する。３１３に於いては、ベースライン皮質電図（ＥＣｏＧ）パワーを周波数関数駆動モデル（ｆｒｅｑｕｅｎｃｙ  ｆｕｎｃｔｉｏｎ  ｄｒｉｖｅｎ  ｍｏｄｅｌ）で使用して標準頭蓋パワー周波数曲線が決定される。頭蓋パワー周波数曲線は、個々の頭蓋レコードパワーと周波数曲線で比較され、マーケティングやエンタテインメント効率の規模変更された推定を得る。種々の実施例に於いて、規模変更された推定はファジイスケーリングによって得られる。
【００６０】
３１５に於いては、効率の計測価を向上するため、選択的データセットに独特の、被験者に独特の、タスクに独特の帯の適応的抽出に、情報理論に基づく帯加重モデル（ｂａｎｄ−ｗｅｉｇｈｔｉｎｇ  ｍｏｄｅｌ）が使用される。適応的抽出にはファジイスケーリングが使用されてもよい。３２１に於いては、複数の提示に亘る変化或は馴化プロフィールを決定するために、複数回刺激が提示され、向上された測定が決定されることが出来る。変化及び／或は馴化プロフィールの決定により、マーケティングやエンタテインメントの刺激の長命（消耗）のみならず、第一義の応答の向上された評価が供給される。３２３に於いては、呼応して提示された刺激への複数個人の同期した応答が計量され、効率の被験者に亘る向上された共時性計量値を決定する。種々の実施例に於いて、同時的応答は分離された地区に住む複数の被験者或は同じ所に居住する複数の被験者について決定されてよい。
【００６１】
種々の合成機構が開示されたが、何個の機構が順に、或は機構どうしの相互作用の有無に拘らず平行して実施されてよいことに留意されるべきである。実施例によっては、３２１と３２３の工程はどのモダリティで実施されてもよい。図４はＥＲＰと連続ＥＥＧを含む脳波記録法（ＥＥＧ）データ用の合成の特種例を示すものである。
【００６２】
ＥＲＰは、脳の電気的活動を測定する方法である脳波記録法（ＥＥＧ）によって容易に測定出来るものである。ＥＥＧは何千もの同時に起こって居る脳プロセスを反映するものであるが、或る刺激に対応する脳反応はＥＥＧによって不可視の場合もある。ＥＲＰデータは刺激が提示された後に現れる認知的な神経生理学的応答も含むものである。多くの場合に於いて、唯一の刺激の後にＥＲＰを見ることは難しいものである。もっとも強壮なＥＲＰならば、何十何百の個別の提示が結合されても見る事ができる。結合によってデータ内のノイズが除去され、刺激への電圧応答がより鮮明になるのである。平均化に加えて、実施例には実行中のＥＥＧから唯一の試験的誘発情報を抽出するテクニクも含まれる。
【００６３】
誘発電位は物理的刺激のプロセシングを反映するものであるが、イベントに関連する電位は、記憶、期待、注意力、精神的状態の変化などと関係する「高等」なプロセスに起因するものである。
【００６４】
種々の実施例に於いて、ＥＲＰデータは各種の機構によって向上することが出来る。４０１に於いては、刺激応答のイベント関連の時間−周波数解析（ｅｖｅｎｔ−ｒｅｌａｔｅｄ  ｐｏｗｅｒ  ｓｐｅｃｔｒａｌ  ｐｅｒｔｕｒｂａｔｉｏｎｓ  （ＥＲＳＰｓ））が、テータ、デルタ、アルファ、ベータ、ガンマ及び高ガンマ（カッパ）のような複数の周波数帯に亘って実施される。種々の実施例に於いて、ベースラインＥＲＰが決定される。４０３に於いては、差分的イベント関連電位（ｄｉｆｆｅｒｅｎｔｉａｌ  ｅｖｅｎｔ  ｒｅｌａｔｅｄ  ｐｏｔｅｎｔｉａｌ  （ＤＥＲＰ））が評価され、刺激に起因させられる差分的応答を評価する。
【００６５】
４０５に於いては、主成分解析（ＰＣＡ），独立成分解析（ＩＣＡ）、及びモンテカルロ解析を含めた種々の解析手法が使用されて複数の刺激に亘って効率の序列が評価される。特種の実施例に於いては、ＰＣＡが使用されて、複数次元のデータセットを解析のために低次元へと減少させる。ＩＣＡは信号の中の複数の成分を分離するのに使用される。モンテカルロは結果を計算するのにサンプリングをランダムに繰り返す。種々の実施例に於いて、４０７に於いてＥＲＰシナリオが生成され、被験者、活動期間、及びタスクに独特な応答ベースラインを決定する。このベースラインはテストされた刺激への他のＥＲＰ応答の感度を向上させるのに使用出来る。
【００６６】
４２１に於いては、複数回に亘って刺激が提示され、向上された計測が決定されることにより、複数の提示に亘る変化或いは馴化プロフィールを決定することが出来る。変化及び／或いは馴化プロフィールを決定することにより、マーケティング及びエンタテインメントの刺激の長命（消耗）のみならず、主応答の向上された応答が供給される。４２３に於いては、呼応して提示された複数個人の刺激への同時応答が計測され、効率の被験者に亘る向上された同時的計測値が決定される。種々の実施例に於いて、同時的応答は離れた地域に住む複数の被験者或は同じ地域に住む複数の被験者について決定されてもよい。
【００６７】
４２１及び４２３のような種々の工程は、ＥＯＧ、眼追跡（ｅｙｅ  ｔｒａｃｋｉｎｇ）、ＧＳＲ、顔面感情記号化などの種々のモダリティに応用され得る。更に、ＥＯＧや眼追跡のような機構からのデータの合成は、興味の対象をミクロ的及びマクロ的眼球衝動パタンを使用して時間的及び空間的に定義された実体にグループ化することから利益が得られる。凝視、長く引き延ばすこと、定義された興味の対象の中心へ主として目の運動を返すこと、及び評価される材料の新しい区域への返還の抑制などが、刺激によって生じた従事（ｅｎｇａｇｅｍｅｎｔ）及び注意力の度合いを決定するのに計測される。
【００６８】
モダリティ内合成機構は向上された効率データを供給するものであるが、追加的にモダリティ間合成機構も適応出来るものである。図５はモダリティ間合成機構の特種例を示すものである。ＥＥＧ５０１、眼追跡（ｅｙｅ  ｔｒａｃｋｉｎｇ）５０３、ＧＳＲ５０５、ＥＯＧ５０７，及び５０９など各種の機構がモダリティ間合成機構に接続される。その他の機構及び現存の機構の変形及び向上品も含まれてよい。種々の実施例に於いて、特定のモダリティからのデータが一個以上の他のモダリティからのデータを使用して向上させられる。特種の実施例に於いては、ＥＥＧが典型的にアルファ、ベータ、及びガンマのような異なる帯でしばしば計測して、効率の推定値を供給する。しかし、効率の計測価は他のモダリティからの情報を使用することによって更に向上し得るものであると言うことを、本発明のテクニックは認めるものである。
【００６９】
例えば、顔面感情記号化(facialemotionencoding)はＥＥＧ感情従事特徴の数価を向上するのに使用可能である。対象実体のＥＯＧと眼球追跡衝動計測は、注意力、感情的従事、及び記憶保持を含み且つそれに限定されない効率のＥＥＧ推定を向上させるのに使用可能である。種々の実施例に於いて、モダリティ間合成機構は異なるモダリティからのデータを整列させるようにデータの時間及び位相移動を行う。或る例に於いては、顔面感情測定が変化する数百ミリ秒前にＥＥＧ応答がしばしば起こることが認められて居る。相関性が得られ、時間及び位相移動がグループによってのみならず、個別にも行い得る。別の例に於いては、衝動的眼球運動を特定のＥＥＧ応答の前後に起こるものとして決定してもよい。種々の実施例に於いては、時間的に関連したＧＳＲ測定値が注意力、感情的従事及び記憶保持測定を含む効率のＥＥＧ推定の規模変更及び向上に使用される。
【００７０】
特定の部位での特定の時間領域差イベント関連電位成分（例えばＤＥＲＰ）の発生或は不発生の証拠は特定の刺激への被験者の感応度に関連する。種々の実施例に於いて、ＥＲＰ計測値はマーケティング及びエンタテインメントの刺激の提示に応じ、ＥＥＧ時間−周波数計測値（ＥＲＰＳＰ）を使用して向上される。特定の部分が抽出され、分離されて実行されるＥＲＰ，ＤＥＲＰ，及びＥＲＰＳＰが特定される。特種の実施例に於いては、注意力、感情、及び記憶保持（ＥＲＰＳＰ）のＥＥＧ周波数推定が共ファクタとしてＥＲＰ，ＤＥＲＰ，及び時間−領域応答解析の向上に使用される。
【００７１】
ＥＯＧは眼球衝動を計測して刺激の特定した対象への注意力の存在を決定する。眼追跡は被験者の熟視経路、刺激の特定対象の上の位置及び滞留を計測する。種々の実施例に於いて、ＥＯＧ及び眼追跡は、眼球衝動到来の勾配で誘発された後頭部及び線条体外領域内の現行ＥＥＧ内のラムダ波（眼球衝動効率の神経生理学的指数）の存在を計測し、ＥＯＧ及び眼追跡計測値の効率を推測することにより向上される。特種の実施例に於いては、眼球衝動到来に先行した緩慢な電位移動及びＦＥＦ（Ｆｒｏｎｔａｌ  Ｅｙｅ  Ｆｉｅｌｄ）領域での時間−周波数コヒーレンスの値が計測され眼球衝動活動のデータの効率が向上される。
【００７２】
ＧＳＲは典型的に提供された刺激に応じた一般的興奮の変化を測定する。種々の実施例に於いて、ＧＳＲはＥＥＧ／ＥＲＰ応答及びＧＳＲ計測を関連して被験者の従事を向上することで向上される。ＧＳＲ潜在ベースラインが刺激への時間的相関ＧＳＲ応答の構成に使用される。時間的相関ＧＳＲ応答はＥＥＧ計測と共因子化されてＧＳＲ計測値が向上される。
【００７３】
種々の実施例に於いて、顔面感情記号化には試験前に種々の感情を表現する個人の顔面筋肉位置及び運動を計測して生成されるテンプレートが使用される。これらの個人に独特な顔面感情記号化テンプレートは個々の応答と比較され、被験者の感情的応答が特定される。特種実施例に於いては、特定周波数帯でのＥＥＧ応答に於ける半球間非対称を評価し、周波数帯相互作用を測定することによって、これら顔面感情記号化測定が向上される。本発明のテクニクに於いては、特種な周波数帯がＥＥＧ応答に於いて有意義であるのみならず、脳の特定領域間の交信に使用される特種な周波数帯が有意義であることが、認められて居る。従って、これらのＥＥＧ応答はＥＭＧ，図形的、及びビデオに基づく顔面感情特定を向上する。
【００７４】
図６は神経学的及び神経生理学的データを取得するテクニクを示すフロー工程図である。６０１に於いては、プロトコルが生成され、一人以上の被験者に刺激が与えられる。種々の実施例に於いて、刺激には連続的ビデオ、メディアクリップ、印刷物、個別の製品などが含まれる。プロトコルは提示回数、提示の時間長、提示の順序、示された刺激の切片などの、刺激提示の周囲のパラメタを決定する。被験者は提示の期間中隔離されて居てもよく、叉、監督者が居ると居ないとに拘らず、グループとして材料が提示されてもよい。６０３に於いては、ＥＥＧ，ＥＲＰ，ＥＯＧ，ＧＳＲなどの種々のモダリティを使用して被験者応答が収集される。例によっては、言語的及び書式応答も収集され、神経学的及び神経生理学的応答と関連されることが出来る。６０５に於いては、データがデータ洗浄装置を通過させられ、データの解釈を難しいものとするノイズやアーチファクトが除去される。種々の実施例に於いて、データ洗浄装置は瞬きやその他の外因的／内因的アーチファクトに関するＥＥＧ電気活動を除去する。
【００７５】
６１１に於いては、モダリティ内応答合成が行われて、効率計測値が向上される。６１３に於いては、モダリティ間応答合成が行われて、効率計測値が更に向上される。或る特種例に於いては或る一種の合成が、多種の合成が行われないまま行われることが出来ることに留意されるべきである。例えば、モダリティ間応答合成は、モダリティ内合成の有無に拘わらずに行われてよい。６１５に於いては、合成された向上後の効率が与えられる。６２１に於いては、フィードバックがプロトコル生成提示装置に追加的評価のために与えられる。このフィードバックはモダリティ間合成装置或いはその他の機構によって与えられてよい。
【００７６】
種々の実施例に於いて、データ収集機構、モダリティ内合成機構、モダリティ間合成機構などのような種々の機構が、複数の装置で実行される。しかし、種々の機構は一個のシステムのハードウエア、ファームウエア、及び／或はソフトウエアで実施されることも出来る。図７は、一個以上の機構の実施に使用出来るシステムの一例を示す。例えば、図７で示すシステムは、データ洗浄装置或はモダリティ間応答合成装置の実施に使用できる。
【００７７】
特種の実施例に於いて、本発明の特種の実施例の実施に適したシステム７００はプロセッサ７０１、メモリ７０３、インタフェイス７１１、及びバス７１５（例えばＰＣＩバス）を含むものである。適当なソフトウエア或はファームウエアの制御のもので作用する場合、このプロセッサ７０１はパタン生成のような役を果たすものである。プロセッサ７０１の代わり、或はプロセッサ７０１に加えて、種々の特定コンフィギュレイションされた装置も使用可能である。完全実施は注文製のハードウエアによっても可能である。インタフェイスは典型的にネットワークを通じてデータパケット或はデータ切片を送信したり受信したりするようにコンフィグレイションされて居る。装置に支持される特種例のインタフェイスにはホストバスアダプタ（ｈｏｓｔ  ｂｕｓ  ａｄａｐｔｅｒ（ＨＢＡ））インタフェイス、エサネットイインタフェイス、フレイムリレイ（ｆｒａｍｅ  ｒｅｌａｙ）インタフェイス、ケーブルインタフェイス、ＤＳＬインタフェイス、トークンリング（ｔｏｋｅｎ  ｒｉｎｇ）インタフェイスなどが含まれる。
【００７８】
更に、高速エサネットインタフェイス、ギガビットエサネットインタフェイス、ＡＴＭインタフェイス、ＨＳＳＩインタフェイス、ＰＯＳインタフェイス、ＦＤＤＩインタフェイス、などのような種々の非常に高速のインタフェイスが供されてもよい。一般に、これらのインタフェイスは適当なメディアとの交信に適当なポートを含んでもよい。場合によっては独立プロセッサを含んでもよく、揮発性ＲＡＭであってもよい。独立プロセッサはデータ合成のような交信集中的タスクを制御することが出来る。
【００７９】
特種の実施例に於いて、システム７００はデータ、アルゴリズム、及びプログラム使用法の記録にメモリ７０３を使用する。プログラム使用法とは、例えばオペレイティングシステムの操作、及び／或は一つ以上のアプリケイションを制御するものであってよい。一個以上のメモリは受信されたデータ及び作用受信データを記録するようにコンフィギュレイションされたものであってよい。
【００８０】
このような情報やプログラム使用法は此処で記述されたシステム／方法を実施するのに使用され得るので、本発明は此処に記載された種々の操作を実施するためのプログラム使用法、状態情報などを含む有形な機械で読む事の出来るメディアに関するものである。機械で読む事の出来るメディアの例にはハードディスク、フロッピイディスク、及び磁気テープのような磁気メディア、ＣＤ−ＲＯＭディスクやＤＶＤのような光学メディア、光学ディスクのような磁気光学的メディア、及びＲＯＭやＲＡＭのようなプログラム使用法の記録及び実施用に特にコンフィギュレイションされたハードウエア装置を含むが、それに限られるものではない。プログラム使用法はコンパイラによって生成される機械コード及び翻訳機を使用してコンピュタによって実施され得る高レベルのコードの双方を含むものである。
【００８１】
本発明は明確に理解されるべく詳細に亘って記述されたものであるが、此処に添付するクレームの範囲内に於いて、若干の変更が可能であることは明白であろう。従って、この開示は例示的なもので、限定的なものではないと解釈されるべきものであり、発明は此処に示された詳細に限定されず、添付されたクレームと均等の範囲内で変更され得るものと解釈すべきものである。
【図１】
2010522941.tif 000003
【図２】
2010522941.tif 000004
【図３】
2010522941.tif 000005
【図４】
2010522941.tif 000006
【図５】
2010522941.tif 000007
【図６】
2010522941.tif 000008
【図７】
2010522941.tif 000009
【国際調査報告】
2010522941.tif 000010